(57)【要約】【課題】本明細書は、コイルの一部を樹脂カバーから露出させているリアクトルにおいて、コイル露出部位を適切に確保する技術を提供する。【解決手段】本明細書が開示するリアクトル２は、対向する一対のフランジ１２ａ、１２ｂを有する樹脂製のボビン１０と、一対のフランジの間でボビンに巻回されているコイル３と、夫々が一方のフランジから他方のフランジまで架け渡されているとともに一対のフランジの間でコイルの外周に当接している一対の板材２０と、一対の板材で画定されるコイルの２つの外周面の一方を覆う樹脂カバー４０を備えている。樹脂カバーの射出成形時、板材２０がコイル３の外周と当接し、溶融樹脂が漏れることを防止する。【選択図】図５
2014220457.tif 000002
【特許請求の範囲】
【請求項１】
対向する一対のフランジを有する樹脂製のボビンと、
一対のフランジの間でボビンに巻回されているコイルと、
夫々が一方のフランジから他方のフランジまで架け渡されているとともに一対のフランジの間でコイルの外周に当接している一対の板材と、
一対の板材で画定されるコイルの２つの外周面の一方を覆う樹脂カバーと、
を備えることを特徴とするリアクトル。
【請求項２】
前記一対の板材の夫々と前記ボビンが、互いに波状面で当接していることを特徴とする請求項１に記載のリアクトル。
【請求項３】
前記樹脂カバーは射出成形で形成されていることを特徴とする請求項１又は２に記載のリアクトル。
【請求項４】
請求項３に記載のリアクトルの製造方法であり、
射出成形の金型内にて、前記一対の板材の夫々のコイル当接面とは反対側の面が前記金型のキャビティ面に当接しており、前記一対の板材の夫々が前記樹脂カバーを成形するための前記キャビティを画定することを特徴とするリアクトルの製造方法。
【発明の詳細な説明】
【技術分野】
【０００１】
本発明は、リアクトルとその製造方法に関する。リアクトルとは、コイルを利用した受動素子であり、「インダクタ」と呼ばれることもある。
【背景技術】
【０００２】
リアクトルは、磁性体のコアと、コアに巻回されるコイルを備える。リアクトルの中にはコイルとコアの間にボビンを備えるタイプもある。多くの場合、リアクトルは、絶縁や他のデバイスとの物理的接触からの保護を目的として樹脂で覆われることが多い（例えば特許文献１〜３）。
【０００３】
ハイブリッド車を含む電気自動車のモータ駆動系では電圧コンバータなどの回路にリアクトルが用いられることがあり、電気自動車用のリアクトルは、大電流が流れるために発熱量が大きい。特許文献１には、コイル全体を樹脂で覆うリアクトルが開示されているが、発熱量が多い場合、コイル全体を樹脂で覆うとコイルの放熱が難しくなる。そこで、コイルの一部を樹脂カバーから露出させ、露出した部分でコイルからの放熱を促進する技術が提案されている（例えば、特許文献２、３）。
【０００４】
特許文献２の技術は、コイルの露出している部分に熱伝導率の高い金属ブロックの一面を当接させ、金属ブロックの他方の面を筐体に当接させ、金属ブロックを介してコイルの熱を筐体へ拡散させる。また、特許文献３の技術は、コイルの約半分を樹脂で覆い、残り半分を露出させ、露出している部分に空気を送り冷却する。
【先行技術文献】
【特許文献】
【０００５】
【特許文献１】実開平５−０６６９５０号公報
【特許文献２】特開２０１１−２４９４２７号公報
【特許文献３】特開２００９−２４６２２２号公報
【発明の概要】
【発明が解決しようとする課題】
【０００６】
特許文献２、３に例示されているように、コイルの保護と冷却を両立するためには、コイルの一部を樹脂で覆い、残部は露出させるのがよい。以下、説明のため、コイルを覆う樹脂の部品を樹脂カバーと称する。樹脂カバーはコイルの保護と形状保持のため、射出成形法にて作られる場合が多い。具体的には、コイルとコアのアセンブリを金型に入れ、溶融樹脂を射出する。金型は金属製である。一方、コイルは巻き線を巻回したものであるため、コイル外形状の精度が高くはなく、金属製の金型とコイルの間に隙間が生じる虞がある。金型とコイルの接触部位に隙間が生じると溶融樹脂が漏れ、コイルの本来露出すべき部分の面積が小さくなってしまう虞がある。
【０００７】
本明細書が開示する技術は、コイルの一部を樹脂カバーから露出させているリアクトルにおいて、コイル露出部位を適切に確保する技術を提供する。
【課題を解決するための手段】
【０００８】
本明細書が開示する技術が対象とするリアクトルは、一対のフランジを有するボビンとコイルを備え、コイルは一対のフランジの間でボビンに巻回されている。そして、本明細書が開示する技術では、一対の板材を導入する。一対の板材の夫々は、ボビンの一方のフランジから他方のフランジまで架け渡されているとともに一対のフランジの間でコイルの外周に当接している。即ち、コイルには、一方のフランジから他方のフランジまで伸びる一対の板材が取り付けられる。従って、一対の板材によってコイルの外周は２つの領域（外周面）に画定される。そして、画定された一方の外周面が樹脂カバーで覆われる。なお、一対の板材は金属製のコイルよりも柔らかい樹脂で作られているとよい。
【０００９】
前述したように、樹脂カバーは射出成形で作られる。一対の板材は、樹脂カバーの射出成形前にボビンのフランジに取り付けられてコイルの外周に当接することで、コイルの外周において樹脂カバーで覆われた部位と、露出する部位の境界となる。従って樹脂カバーを射出成形する際、板材を境界に一方のコイルの外周には溶融樹脂が充填され、他方のコイルの外周は露出したままとなる。即ち、一対の板材は樹脂射出成形の金型内にてキャビティの一部を画定する。これを詳細に説明すると、前記射出成形の際に樹脂製の板材は金型のキャビティ面とコイルの外周との間にあって、板材の背面（コイルの外周と対向する面の反対側の面）が金型のキャビティ面に当接し、板材の当接面（コイルの外周と対向する面）が金属製のコイルの外周に隙間なく密着する。これにより一対の板材は、キャビティ内の一方のコイルの外周に射出された溶融樹脂が他のコイルの外周に流出するのを防ぐことができる。
【００１０】
さらに、本明細書が開示するリアクトルでは、夫々の板材のボビン当接面、及び、ボビンの板材当接面が波状に形成されており、一対の板材の夫々とボビンが互いにその波状面で当接しているとよい。この構成によれば、上記した射出成形の際、板材とボビンとは夫々波状面で互いにかみ合うように当接するので、それらの間からも溶融樹脂が漏れることはない。即ち、板材がコイルの外周に密着するとともに、板材とボビンのフランジとはお互いに波状面で当接するので、板材が取り付くボビンの一方のフランジから他方のフランジまでの間において、射出された溶融樹脂が露出部を有するコイルの外周に漏れ出る隙間を作らない。上記の技術は、コイル露出部位を適切に確保することができる。
【００１１】
本明細書は、上記の板材を使った新規なリアクトル製造方法も提供する。その方法は、一般にインサート射出成形と呼ばれる樹脂射出成形方法で、樹脂カバーの成形に先立って、ボビンを介して磁性体のＯ字形コアの直線部外側部分にコイルを巻回し、さらに一対の板材をボビンのフランジに取り付けたアセンブリを金型のキャビティ内にインサートする。インサート後に金型の型締めを行うが、型締めの際に、金型の一部はスライド型になっておりコイル側にスライドして板材をコイルに押圧する。この押圧により、金型内にてインサートされたアセンブリの板材が金型のキャビティ面とコイルの外周に当接して、板材が樹脂カバーを成形するためのキャビティを画定する。その後、画定されたキャビティ空間の一つに溶融樹脂を射出してコイルの外周に樹脂カバーを成形する。板材のスライド型に押圧される部分以外の部分とキャビティ面との間には溶融樹脂が流れる空間が設けてあり、溶融樹脂をキャビティ内に射出する際に板材が前記空間内で溶融樹脂の圧力（以下、溶融樹脂圧という）によりコイル側に押圧される。同様にコイルとボビン又はコアの間にも溶融樹脂が流れる空間が設けてあるので、コイルが板材側に押圧される。従って本発明の成形方法では、樹脂射出成形により金型内に溶融樹脂を流し込んでリアクトルを成形する際、インサートされたアセンブリの板材が確実にキャビティ面を画定し、板材はスライド型と溶融樹脂圧によりコイル側に押圧され、コイルは溶融樹脂圧により板材側に押圧されて板材とコイルの間から溶融樹脂が漏れ出ることがないので、コイル外周の露出部位を適切に確保することができる。
【００１２】
本明細書が開示する技術の詳細とさらなる改良は以下の「発明を実施するための形態」にて説明する。
【図面の簡単な説明】
【００１３】
【図１】実施例のリアクトルの斜視図である（樹脂カバー成形前であり、また、板材は分解されている）。
【図２】板材を取り付けたリアクトルの斜視図である（樹脂カバー成形前）。
【図３】板材とボビンの嵌合部位の拡大断面図である。
【図４】図２のIV−IV線における断面図である（コイルとボビンのアセンブリを金型に入れた状態における断面図）。
【図５】完成したリアクトルの斜視図である。
【発明を実施するための形態】
【００１４】
図面を参照して実施例のリアクトルを説明する。図１と図２に、樹脂カバー成形前のリアクトル２を示す。図１は板材２０を外した状態を示しており、図２は板材２０を取り付けた状態を示している。
【００１５】
リアクトル２は、例えば、電気自動車においてバッテリ電圧をモータ駆動に適した電圧まで昇圧するコンバータに用いられる。そのようなリアクトル２は、１００［Ａ］以上の電流許容値を有する大電流用であり、コイルの巻き線に平角線が用いられる。平角線は、断面が矩形の導線であり、電気抵抗が小さい。リアクトル２では、平角線の幅広の面をコイル長手方向に向けて巻く。別言すれば、幅の狭い面をコイル半径方向に向けて巻く。そのような巻き方はエッジワイズ、あるいは、縦巻きと呼ばれる。エッジワイズは、平角線の幅広面をコイル長手方向に向けて巻回するので、一巻き一巻きを高い精度で揃えることが難しく、コイルの外周のＹ軸方向及びＺ軸方向の精度が高くならない。
【００１６】
リアクトル２の構造を説明する。リアクトル２は、磁性体で作られている環状のコア５（Ｏ字形コア）と、ボビン１０と、コイル３と、一対の板材２０で構成されている。環状のコア５は、一部が平行であり、その平行な部位の夫々が樹脂製のボビン１０で覆われている。コイル３は、電気的には直列に接続された２つのコイルで構成され、夫々がコアの平行部位にてボビン１０に巻回されている。ボビン１０のコイル軸線方向の両側にはフランジ１２ａ、１２ｂが設けられており、そのフランジ１２ａ、１２ｂがコイル３の両端を規制している。一方のフランジ１２ａにはスリット１１が設けられており、そのスリット１１に樹脂小片４が嵌合している。樹脂小片４には貫通孔が設けられており、コイルのリード部３ａがその貫通孔を通っている。コイルのリード部３ａの先端で、リアクトル２は他のデバイスと電気的に接続される。
【００１７】
図１では、一対の板材２０の一方をボビン１０から外して描いてあり、他方はボビン１０とコイル３に隠れて見えないことに留意されたい。
【００１８】
図の座標系を説明する。コイル軸線の伸びる方向が、図中のＸ軸が伸びる方向に相当する。また、図１では、理解し易いように、図の左側（コイル３やボビン１０の図）と右側（板材２０の図）で視点が異なっていることに留意されたい（図中の２つの座標系を参照されたい）。板材２０は、矢印Ａ、Ｂの如く回転させてボビン１０に組み付けられる。
【００１９】
次に板材２０について説明する。一対の板材２０は、間に２連のコイル３を挟んで向かい合わせでボビン１０に取り付けられる。図１で描かれている一方の板材２０について以下、説明する。なお、他方の板材も同様の構造を有している。
【００２０】
板材２０は、ボビン１０の一対のフランジ１２ａ、１２ｂにわたって架け渡されている。別言すれば、板材２０は、一方のフランジ１２ａから他方のフランジ１２ｂへと伸びている。板材２０は、コイル長手方向に沿った両端に縦溝２５ａ、２５ｂを備えており、それらがボビン１０のフランジに設けられた突条と係合する。図１では、フランジ１２ａの外側に設けられた突条１５ａは描かれているが、他方のフランジ１２ｂの外側に設けられた突条はフランジ１２ｂの裏側に位置するので図１では見えない。一方の突条１５ａは、板材２０の一方の縦溝２５ａに嵌合する。フランジ１２ｂの外側に設けられた突条には、板材２０の他方の縦溝２５ｂが嵌合する。すなわち、板材２０は、図１の一点鎖線が示すように、突条１５ａの延設方向と縦溝２５ａの延設方向を一致させるとともに、他方の突条の延設方向と縦溝２５ｂの延設方向を一致させ、ボビン１０の下方から（図中のＺ軸の負の方向から正の方向に向かって）嵌め込まれる。板材２０が嵌め込まれた状態が図２に示してある。突条１５ａの上部にはストッパ１４ａが設けられており、突条１５ａに縦溝２５ａを合わせて板材２０を上方へスライドさせると、板材２０の端部の上面がストッパ１４ａに当接し、それ以上、板材２０はスライドできなくなる。ボビン１０の他方のフランジ１２ｂにもストッパ１４ｂが設けられており、フランジ１２ｂの図における裏側に位置する突条に縦溝２５ｂを合わせて板材２０を上方へスライドさせると、板材２０の他方の端部の上面がストッパ１４ｂに当接し、板材２０の位置が確定する。
【００２１】
板材２０の両端はボビン１０に係止される。板材２０の一端側には表面が波状に形成された係合面２３ａが設けられており、係合面２３ａと対向するボビン１０のボビン側係合面１３ａも波状に形成されている。同様に、板材２０の他端にも表面が波状に形成された係合面２３ｂが設けられており、係合面２３ｂと対向するボビン１０のボビン側係合面１３ｂも波状に形成されている。なお、ボビン側係合面１３ｂは、フランジ１２ｂの端面に相当する。板材２０の縦溝２５ａ、２５ｂをボビンの突条に合わせてスライドさせると、波状の係合面２３ａと波状のボビン側係合面１３ａが対向し、係合面２３ｂとボビン側係合面１３ｂが対向する。ボビン１０も板材２０も共に樹脂製であり、互いに波状面のトップ同士が擦れ合いながらも板材２０は上方へスライドすることができる。板材２０がストッパ１４ａ、１４ｂと当接すると、板材２０とボビン１０の波状面同士が係合し、板材２０がボビン１０に係止される。即ち、板材２０の係合面２３ａ（２３ｂ）とボビン側係合面１３ａ（１３ｂ）は、互いに波状に形成されており、両者は対向し、波の山の同士が接して両者は係合する。
【００２２】
図３に、板材２０とボビン１０（突条１５ａ）の係合部位の断面図を示す。図３に示すように、板材２０の係合面２３ａの谷とボビン側係合面１３ａの谷との間にはギャップＧの隔たりがあるが、係合面２３ａのトップとボビン側係合面１３ａのトップは互いに当接し、係合する。図３によく示されているように、板材２０とボビン１０は、互いに波状面で当接する。ギャップＧは、図２にも描かれているので参照されたい。
【００２３】
図１、図２に示すように、板材２０は、ボビン１０の一対のフランジ１２ａ、１２ｂの間で、コイル３の外周に当接する。コイル３の外周に当接する側の板材２０の面を当接面２１と称し、その反対側の面を背面２２と称する。一対の板材２０は、向かい合わせでコイル３の外周に当接する。従って、コイルを横断する断面で見ると、一対の板材２０はコイル外周面を二分する。後に説明するが、板材２０よりも上側（Ｚ軸正方向）の外周面は樹脂カバーで覆われ、板材２０よりも下側の外周面、即ち、コイル底面３ｂは樹脂カバーから露出する。樹脂カバーは射出成形によって作られる。次に、樹脂カバーについて説明する。
【００２４】
図４に、図２のIV−IV線における断面図を示す。なお、図４は、コイル３とボビン１０とコア５と板材２０のアセンブリを金型３０にセットした状態における断面図である。図４の断面図は、別言すれば、コイルの軸線を横切る断面に相当する。図４において、符号５はコアを示しており、符号１０はボビン（コイルが巻回される筒部）を示している。
【００２５】
コイル等のアセンブリは、下型３１に載置され、上から上型３２が被せられる。上型３２の側方のキャビティ面の一部はスライド型３２ａ、３２ｂになっており、そのスライド型３２ａ、３２ｂがＹ軸方向にスライドして板材２０の背面２２に当接し、板材２０をコイル３の外周に押し付ける。スライド型３２ａ、３２ｂが板材２０の背面２２に当接した際、板材２０の背面２２と上型３２のキャビティ面との間に空間ＳＰ１ができる。キャビティＣＡ内に溶融樹脂が流し込まれた際に空間ＳＰ１には溶融樹脂が流れ込み、溶融樹脂圧により板材２０の背面２２が押圧されるので板材２０はコイル３の外周に押し付けられる。また、コイル３とボビン１０（又はコア５）との間には溶融樹脂が流れ込む空間ＳＰ２があり、キャビティＣＡ内に溶融樹脂が流し込まれた際に溶融樹脂圧によりコイル３が板材２０に押し付けられる。前述したようにコイル３は平角線をエッジワイズに巻回したものであり、外周の面精度は高くない。しかし、板材２０は樹脂製であり、板材２０はスライド型３２ａ、３２ｂと溶融樹脂圧によりコイル３側に押圧され、コイル３は溶融樹脂圧により板材２０側に押圧されるので、柔らかい樹脂製の板材２０の当接面２１が硬い金属製のコイルの外周の形状に合わせた変形をして密着するので、板材２０とコイル３の間から溶融樹脂が漏れ出ることがない。
【００２６】
２連のコイル３の間には、柱状部材３３がコイル軸線方向に伸びており、２連のコイルの夫々の外周に当接し、コイル３の間を封止している。また、図４によく示されているように、コイル３の対向する外周の夫々に当接する一対の板材２０は、コイルの外周の領域を２分する。２つの領域は、図４において板材２０よりも上側の外周面と、板材２０よりも下側の外周面である。
【００２７】
上側の外周面はキャビティＣＡに面している。また、板材２０の一部（上型３２に面している背面２２のうち、スライド型３２ａ、３２ｂと当接している部位）はキャビティＣＡの一部を画定する。即ち、上型３２のキャビティ面と、一対の板材２０と柱状部材３３がキャビティＣＡを画定する。図４の符号３４は溶融樹脂を流し込むゲートであり、ゲート３４から流し込まれた溶融樹脂は、キャビティＣＡに拡がる。ここで、コイル３の側方において、溶融樹脂は、コイル３の外周と密着している板材２０でせき止められ、コイル３の下側の外周面（即ち、コイルの底面３ｂの側）に漏れることはない。また、図３を使って説明したように、ボビン１０と板材２０は互いに波状面で当接しているので、ボビン１０と板材２０の間からも溶融樹脂が漏れることはない。こうして、射出成形時において、溶融樹脂が露出予定のコイル底面３ｂの側に漏れることがなく、コイル露出部位が確保される。
【００２８】
なお、２連のコイル３の間では、樹脂製の柱状部材３３が両方のコイルの外周に密着し、溶融樹脂が漏れることを防止している。
【００２９】
図５に、樹脂カバー４０が形成された完成品のリアクトル２の斜視図を示す。樹脂カバー４０は、ボビン１０の一対のフランジ１２ａ、１２ｂの間でコイル３を覆うが、コイル３の底面３ｂは露出させている。なお、図５によく示されているように、板材２０とフランジ１２ａと樹脂カバー４０は、一体となって、コイル３を覆う。こうして、コイル底面３ｂの露出が確保されたリアクトル２が完成する。
【００３０】
なお、図５のリアクトルではボビン１０の端部から出ているコア５も露出しているが、コア５も樹脂で覆われていてもよい。
【００３１】
実施例で説明した技術に関する留意点を述べる。実施例のリアクトル２は、環状のコア５と２連のコイル３を備えていたが、コアとコイルの形状はこれに限られない。本明細書が開示する技術は、直線的な棒状のコアとそのコアに巻回される一つのコイルを備えるリアクトルに適用することもできる。
【００３２】
板材２０は、ボビン１０にスライドしながら組み合わされて係止される。板材とボビンの係合の態様はそのようなスライド式に限られない。ネジあるいはクリップのような別の係合金具を使って板材２０をボビン１０に固定してもよい。あるいは、板材２０に突起を設けるとともにボビン１０に突起を受け入れる孔を設け、突起を孔に圧入して板材を固定してもよい。いずれの場合であっても、板材とボビン（フランジ）の双方の対向面が波状に形成され、その波の山同士が接していればよい。
【００３３】
コイルは筒状であり、「コイルの外周」とは、その筒の軸線方向端面を除く面を意味する。また、「一対の板材で画定されるコイルの外周面」とは、コイルの軸線に直交する断面でみたときに、一対の板材を結ぶ直線で区画される２つのコイルの外周を意味する。複数のコイルが軸線を平行にして並んで配置されている場合は、コイル軸線に直交する断面でみたときに、その複数のコイル全体を包含する輪郭線を一つの仮想的なコイルと見なして、上記の「外周」、「外周面」を想定する。典型的には、図４に示されているように、２つのコイルが並んで配置されている場合、図４の断面において２つのコイルを包含する輪郭線を一つのコイルと見なし、その仮想的なコイルの外周に一対の板材２０が当接する。
【００３４】
さらにまた、樹脂カバーは、一対の板材で画定されるコイルの２つの外周面の一方を覆うが、外周面の一方を完全に覆っている態様に限らない。例えば、樹脂カバーは、コイルの２つの外周面の一方を覆うともに、その外周面の一方においてコイルの外周の一部が露出する小窓を有していてもよい。小窓の典型は、ネジ孔や、コイルの冷却を促進するためにコイルの外周の一部を露出する冷却用の小窓である。
【００３５】
実施例で説明したリアクトルは、別の観点では次の通りに表現することができる。リアクトルは、ボビンと、コイルと、一対の板材と、樹脂カバーを備える。ボビンは、対向する一対のフランジを有する。コイルは、一対のフランジの間でボビンに巻回されている。一対の板材は、夫々が一方のフランジから他方のフランジまで架け渡されているとともに一対のフランジの間でコイルの外周に当接している。樹脂カバーは、コイルの少なくとも一部を覆う。その樹脂カバーは、一対の板材で画定されるコイルの２つの外周面の一方を露出させている。さらに、樹脂カバーは、夫々の板材に関して、板材に垂直な方向からみたときに板材が樹脂カバーの境界を画定している。
【００３６】
また、「コイルの外周」とは、「筒状のコイルの端面を除く側面」と別言することもできる。また、「一対の板材で画定されるコイルの２つの外周面」は、第１外周面領域と第２外周面領域（あるいは第１側面領域と第２側面領域）と簡略化して呼称してもよい。例えば、リアクトル２においては、図において板材２０よりも上側の領域が第１外周面領域に相当し、板材２０よりも下側の領域が第２外周面領域に相当する。完成したリアクトル２では、第１外周面領域は樹脂カバー４０で覆われ、第２外周面領域は露出する。
【００３７】
リアクトルが有するコアは、Ｏ字型のコアに限られない。コアは、例えば、一対のＵ字型のコアの間にギャップが形成された構造であってもよい。
【００３８】
実施例のリアクトルでは、平角線をエッジワイズに巻回したコイルが用いられた。本明細書が開示する技術は、エッジワイズ巻きのコイルを有するリアクトルに限られない。本明細書が開示する技術は、例えば、平角線をフラットワイズに巻回したコイルを有するリアクトルに適用することも可能である。なお、フラットワイズとは、平角線の幅広面をコイル半径方向に向けて巻回することをいう。さらには、本明細書が開示する技術は、平角線でなく通常の断面が円形のワイヤを巻回したコイルを有するリアクトルにも適用可能である。
【００３９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４０】
２：リアクトル
３：コイル
３ｂ：コイル底面
５：コア
１０：ボビン
１１：スリット
１２ａ、１２ｂ：フランジ
１３ａ、１３ｂ：ボビン側係合面（波状面）
１４ａ、１４ｂ：ストッパ
１５ａ：突条
２０：板材
２１：当接面
２２：背面
２３ａ、２３ｂ：係合面（波状面）
２５ａ、２５ｂ：縦溝
３０：金型
３１：下型
３２：上型
３２ａ、３２ｂ：スライド型
３３：柱状部材
４０：樹脂カバー
【図１】
2014220457.tif 000003
【図２】
2014220457.tif 000004
【図３】
2014220457.tif 000005
【図４】
2014220457.tif 000006
【図５】
2014220457.tif 000007